【手続補正書】
【提出日】平成20年11月5日(2008.11.5)
【手続補正１】
【補正対象書類名】特許請求の範囲
【補正対象項目名】全文
【補正方法】変更
【補正の内容】
【特許請求の範囲】
【請求項１】
黒トナーと、イエロートナーと、マゼンタトナーと、シアントナーとを少なくとも有するトナーキットであって、
前記黒トナー、前記イエロートナー、前記マゼンタトナー、及び前記シアントナーは、いずれも、少なくとも結着樹脂、着色剤、及び荷電制御剤を含有し、
前記黒トナーの着色剤が、カーボンブラック及び磁性紛の少なくともいずれかを含み、
前記荷電制御剤は、カウンターイオンとしてＫ＋を含む分子構造を有し、
前記黒トナー表面の蛍光Ｘ線で検出されるＫ＋強度をＫｋ、前記イエロートナー表面の蛍光Ｘ線で検出されるＫ＋強度をＫｙ、前記マゼンタトナー表面の蛍光Ｘ線で検出されるＫ＋強度をＫｍ、及び前記シアントナー表面の蛍光Ｘ線で検出されるＫ＋強度をＫｃとすると、次式、Ｋｋ＜Ｋｙ、Ｋｋ＜Ｋｍ、Ｋｋ＜Ｋｃ、を満たすことを特徴とするトナーキット。
【請求項２】
ＫｋとＫｙとの比（Ｋｋ／Ｋｙ）、ＫｋとＫｍとの比（Ｋｋ／Ｋｍ）、及びＫｋとＫｃとの比（Ｋｋ／Ｋｃ）がいずれも０．３〜０．６である請求項１に記載のトナーキット。
【請求項３】
黒トナーの体積抵抗をＲｋ、イエロートナーの体積抵抗をＲｙ、マゼンタトナーの体積抵抗をＲｍ、及びシアントナーの体積抵抗をＲｃとすると、次式、Ｒｋ＜Ｒｙ、Ｒｋ＜Ｒｍ、Ｒｋ＜Ｒｃ、を満たす請求項１から２のいずれかに記載のトナーキット。
【請求項４】
黒トナーの体積抵抗Ｒｋが、０．９×１０９〜５×１０９Ωである請求項３に記載のトナーキット。
【請求項５】
荷電制御剤が、下記構造式で表されるベンジルホウ素系化合物である請求項１から４のいずれかに記載のトナーキット。
【化１】
2007178551.tif 000001
【請求項６】
結着樹脂がワックス内添樹脂を含む請求項１から５のいずれかに記載のトナーキット。
【請求項７】
請求項１から６のいずれかに記載のトナーキットにおける各トナーからなる非磁性一成分現像剤であることを特徴とする現像剤。
【請求項８】
静電潜像担持体と、該静電潜像担持体上に形成した静電潜像を請求項７に記載の現像剤を用いて現像し可視像を形成する現像手段とを少なくとも有することを特徴とするプロセスカートリッジ。
【請求項９】
静電潜像担持体と、該静電潜像担持体上に静電潜像を形成する静電潜像形成手段と、前記静電潜像を請求項７に記載の現像剤を用いて現像して可視像を形成する現像手段と、前記可視像を記録媒体に転写する転写手段と、記録媒体に転写された転写像を定着させる定着手段とを少なくとも有することを特徴とする画像形成装置。
【請求項１０】
現像手段が、周面に現像剤を担持し、静電潜像担持体に接して回転し、かつ該静電潜像担持体上に形成された静電潜像に該現像剤を供給して現像を行う現像ローラと、該現像ローラの周面に接し、該現像ローラ上の前記現像剤を薄層化する薄層形成部材とを有する請求項９に記載の画像形成装置。
【請求項１１】
静電潜像担持体上に静電潜像を形成する静電潜像形成工程と、前記静電潜像を請求項７に記載の現像剤を用いて現像して可視像を形成する現像工程と、前記可視像を記録媒体に転写する転写工程と、記録媒体に転写された転写像を定着させる定着工程とを少なくとも含むことを特徴とする画像形成方法
【手続補正２】
【補正対象書類名】明細書
【補正対象項目名】００１０
【補正方法】変更
【補正の内容】
【００１０】
前記課題を解決するための手段としては、以下の通りである。即ち、
＜１＞  黒トナーと、イエロートナーと、マゼンタトナーと、シアントナーとを少なくとも有するトナーキットであって、
前記黒トナー、前記イエロートナー、前記マゼンタトナー、及び前記シアントナーは、いずれも、少なくとも結着樹脂、着色剤、及び荷電制御剤を含有し、
前記黒トナーの着色剤が、カーボンブラック及び磁性紛の少なくともいずれかを含み、
前記荷電制御剤は、カウンターイオンとしてＫ＋を含む分子構造を有し、
前記黒トナー表面の蛍光Ｘ線で検出されるＫ＋強度をＫｋ、前記イエロートナー表面の蛍光Ｘ線で検出されるＫ＋強度をＫｙ、前記マゼンタトナー表面の蛍光Ｘ線で検出されるＫ＋強度をＫｍ、及び前記シアントナー表面の蛍光Ｘ線で検出されるＫ＋強度をＫｃとすると、次式、Ｋｋ＜Ｋｙ、Ｋｋ＜Ｋｍ、Ｋｋ＜Ｋｃ、を満たすことを特徴とするトナーキットである。
＜２＞  ＫｋとＫｙとの比（Ｋｋ／Ｋｙ）、ＫｋとＫｍとの比（Ｋｋ／Ｋｍ）、及びＫｋとＫｃとの比（Ｋｋ／Ｋｃ）が、いずれも０．３〜０．６である前記＜１＞に記載のトナーキットである。
＜３＞  黒トナーの体積抵抗をＲｋ、イエロートナーの体積抵抗をＲｙ、マゼンタトナーの体積抵抗をＲｍ、及びシアントナーの体積抵抗をＲｃとすると、次式、Ｒｋ＜Ｒｙ、Ｒｋ＜Ｒｍ、Ｒｋ＜Ｒｃ、を満たす前記＜１＞から＜２＞のいずれかに記載のトナーキットである。
＜４＞  黒トナーの体積抵抗Ｒｋが、０．９×１０９〜５×１０９Ωである前記＜３＞に記載のトナーキットである。
＜５＞  荷電制御剤が、下記構造式で表されるベンジルホウ素系化合物である前記＜１＞から＜４＞のいずれかに記載のトナーキットである。
【化２】
2007178551.tif 000002
＜６＞  結着樹脂がワックス内添樹脂を含む前記＜１＞から＜５＞のいずれかに記載のトナーキットである。
＜７＞  黒トナーと、イエロートナーと、マゼンタトナーと、シアントナーとを少なくとも用いたフルカラー画像形成に用いられる黒トナーであって、
前記黒トナー、前記イエロートナー、前記マゼンタトナー、及び前記シアントナーは、いずれも、少なくとも結着樹脂、着色剤、及び荷電制御剤を含有し、
前記黒トナーの着色剤が、カーボンブラック及び磁性紛の少なくともいずれかを含み、
前記荷電制御剤は、カウンターイオンとしてＫ＋を含む分子構造を有し、
前記黒トナー表面の蛍光Ｘ線で検出されるＫ＋強度をＫｋ、前記イエロートナー表面の蛍光Ｘ線で検出されるＫ＋強度をＫｙ、前記マゼンタトナー表面の蛍光Ｘ線で検出されるＫ＋強度をＫｍ、及び前記シアントナー表面の蛍光Ｘ線で検出されるＫ＋強度をＫｃとすると、次式、Ｋｋ＜Ｋｙ、Ｋｋ＜Ｋｍ、Ｋｋ＜Ｋｃを満たすことを特徴とする黒トナー。
＜８＞  ＫｋとＫｙとの比（Ｋｋ／Ｋｙ）、ＫｋとＫｍとの比（Ｋｋ／Ｋｍ）、及びＫｋとＫｃとの比（Ｋｋ／Ｋｃ）が、いずれも０．３〜０．６である前記＜７＞に記載の黒トナーである。
＜９＞  黒トナー表面の蛍光Ｘ線で検出されるＫ＋強度（Ｋｋ）が、０．１〜１である前記＜７＞から＜８＞のいずれかに記載の黒トナーである。
＜１０＞  荷電制御剤が、下記構造式で表されるベンジルホウ素系化合物である前記＜７＞から＜９＞のいずれかに記載の黒トナーである。
【化３】
2007178551.tif 000003
＜１１＞  荷電制御剤のトナーにおける含有量が、結着樹脂１００質量部に対し０．５〜３質量部である前記＜７＞から＜１０＞のいずれかに記載の黒トナーである。
＜１２＞  前記＜１＞から＜６＞のいずれかに記載のトナーキットにおける各トナーからなる非磁性一成分現像剤であることを特徴とする現像剤である。
＜１３＞  静電潜像担持体と、該静電潜像担持体上に形成した静電潜像を前記＜１２＞に記載の現像剤を用いて現像し可視像を形成する現像手段とを少なくとも有することを特徴とするプロセスカートリッジである。
＜１４＞  静電潜像担持体と、該静電潜像担持体上に静電潜像を形成する静電潜像形成手段と、前記静電潜像を前記＜１２＞に記載の現像剤を用いて現像して可視像を形成する現像手段と、前記可視像を記録媒体に転写する転写手段と、記録媒体に転写された転写像を定着させる定着手段とを少なくとも有することを特徴とする画像形成装置である。
＜１５＞  現像手段が、周面に現像剤を担持し、静電潜像担持体に接して回転し、かつ該静電潜像担持体上に形成された静電潜像に前記現像剤を供給して現像を行う現像ローラと、該現像ローラの周面に接し、該現像ローラ上の該現像剤を薄層化する薄層形成部材とを有する前記＜１４＞に記載の画像形成装置である。
＜１６＞  静電潜像担持体上に静電潜像を形成する静電潜像形成工程と、前記静電潜像を前記＜１２＞に記載の現像剤を用いて現像して可視像を形成する現像工程と、前記可視像を記録媒体に転写する転写工程と、記録媒体に転写された転写像を定着させる定着工程とを少なくとも含むことを特徴とする画像形成方法である。